(57)【要約】【課題】グリスフィルターやフィルター枠を不要とし、排気性に優れ、面倒な作業を必要としない使い捨ての台所換気導風口用不織布フィルター、およびそれを取扱うための把持部材を提供する。【解決手段】不織布で構成したフィルター本体２の周囲を、加熱圧着または含浸樹脂によって硬化して縁硬化部を形成する。また、対向する端縁硬化部３間に、加熱圧着または含浸樹脂によって硬化した中央硬化部４を設ける。本発明の把持部材は、不織布フィルター１の端縁硬化部３を狭持する略コ字状の把持本体６から、少なくとも、突起状の摘み片７を突設する。【選択図】　　　図３
2004066187.tif 000002
【特許請求の範囲】
【請求項１】
不織布で構成したフィルター本体（２）の周囲を、加熱圧着または含浸樹脂によって硬化して端縁硬化部（３）を形成してなる台所換気導風口用不織布フィルター。
【請求項２】
不織布で構成したフィルター本体（２）の周囲を、加熱圧着または含浸樹脂によって硬化して端縁硬化部（３）を形成すると共に、対向する端縁硬化部間に、加熱圧着または含浸樹脂によって硬化した中央硬化部（４）を設けてなる台所換気導風口用不織布フィルター。
【請求項３】
請求項１または２に記載の台所換気導風口用不織布フィルター（１）を取付け，あるいは取外す際に使用する把持部材であって、
前記不織布フィルターの端縁硬化部（３）を狭持する略コ字状の把持本体（６）から，少なくとも，突起状の摘み片（７）を突設してなる把持部材。
【発明の詳細な説明】
【０００１】
【発明の属する技術分野】本発明は、台所のレンジフードや換気扇の導風筒即ち換気導風口に具備されている不織布フィルター、および当該不織布フィルターを台所換気導風口に取付け、あるいは取外す際に使用する把持部材に関するものである。
【０００２】
【従来の技術】台所のレンジや換気扇に用いられているところの従来のいわゆる使い捨ての不織布フィルターは、導風口に具備されている金属製のグリスフィルターの上流側から磁石や面ファスナーを介して取付けたり、あるいはグリスフィルターの代わりに具備されているフィルター枠に取付けていた。
【０００３】
【発明が解決しようとする課題】しかし、グリスフィルターの上流側から取付けるものにおいては、フィルターを二重に設けることになるので排気性が低下してしまうという問題がある。また、グリスフィルターと不織布フィルターの両方を維持管理する必要があるので、いわゆるメンテナンスが面倒である。
【０００４】
また、フィルター枠に取付けるものにおいては、当該フィルター枠へ取付け、あるいは取外す必要があるので、それらの作業が面倒であるといった問題がある。
【０００５】
本発明はこうした問題に鑑み創案されたもので、グリスフィルターやフィルター枠を不要とし、排気性に優れ、面倒な作業を必要としない使い捨ての台所換気導風口用不織布フィルターを提供することを課題とする。また、それを取扱うための把持部材を併せて提供する。
【０００６】
【課題を解決するための手段】図１乃至図５を参照して説明する。第一の発明に係る台所換気導風口用不織布フィルター１は、不織布で構成したフィルター本体２の周囲を、加熱圧着または含浸樹脂によって硬化して縁硬化部を形成してなる。
【０００７】
第二の発明に係る台所換気導風口用不織布フィルター１は、不織布で構成したフィルター本体２の周囲を、加熱圧着または含浸樹脂によって硬化して端縁硬化部３を形成すると共に、対向する端縁硬化部３間に、加熱圧着または含浸樹脂によって硬化した中央硬化部４を設けてなる。
【０００８】
第三の発明は、第一および第二の発明に係る台所換気導風口用不織布フィルター１を取付け、あるいは取外す際に使用する把持部材であって、前記台所換気導風口用不織布フィルター１の端縁硬化部３を狭持する略コ字状の把持本体６から、少なくとも、突起状の摘み片７を突設してなる。
【０００９】
【発明の実施の形態】本発明に係る台所換気導風口用不織布フィルター１の第一実施形態を、図１および図２に示す。このフィルターは、不織布で構成した長方形状のフィルター本体２の周囲（四辺）を加熱圧着して硬化し、端縁硬化部３としている。
【００１０】
本実施形態に係る不織布フィルター１は、図２に示す如く台所換気導風口にグリスフィルターを取付けるために形成されている取付溝Ｃに、その一端縁硬化部３を挿入すると共に他端を固定Ｄすることによって、当該グリスフィルターに代えて取付ける。この端縁硬化部３は硬質であるため、不織布フィルター１全体を安定した姿勢で長期間保持することができる。
【００１１】
また、このフィルター１は濾過材として優れた機能を発揮する不織布で形成しているので、グリスフィルターを使用する必要がない。従って、フィルターを一重構造とすることができ、排気性に優れる。また、グリスフィルターを使用せず、台所換気導風口用不織布フィルター１のみを使用するので、メンテナンスが容易である。
【００１２】
さらに、フィルター本体２の周囲を端縁硬化部３としているので、その端縁硬化部３が枠のはたらきを行い、別体物であるフィルター枠を必要としない。従って、フィルター枠に取付けたり、取外すといった面倒な作業を不要とすることができる。
【００１３】
本発明に係る台所換気導風口用不織布フィルター１の第二実施形態を、図３に示す。これは、不織布で構成した長方形状のフィルター本体２の周囲（四辺）を、含浸樹脂によって硬化して端縁硬化部３を形成すると共に、対向する端縁硬化部３間に、縦横に、含浸樹脂によって硬化した複数の中央硬化部４を設けている。
【００１４】
この台所換気導風口用不織布フィルター１においては、中央硬化部４を形成しているので、フィルター本体２の強度を高めることができる。従って、フィルター本体２は、油を吸収して重くなっても、垂れ下がったり、撓むことなく、長期間にわたって安定姿勢を維持することができる。
【００１５】
なお、第一および第二実施形態における台所換気導風口用不織布フィルター１は、不織布で形成しているので、台所換気導風口の大きさに合わせてその端縁硬化部３を切断することができる。従って、あらゆる大きさの台所換気導風口に取付けることができる。
【００１６】
本発明に係る把持部材５の実施形態を、図４および図５に示し、それを取付けた状態を図３に示す。これは、台所換気導風口用不織布フィルター１を取付けたり取外す際に使用するものであり、不織布フィルター１の端縁硬化部３を狭持する略コ字状の把持本体６から、突起状の摘み片７を突設すると共に、当該把持本体６にネジ孔８を穿設している。
【００１７】
この把持部材５は、不織布フィルター１の端縁硬化部３に装着し、その摘み片７を手で持って、当該フィルターを台所換気導風口に形成されているグリスフィルター用の取付溝Ｃに取付けるため、あるいは取外すために使用する。この把持部材５を使用することによって、台所換気導風口用不織布フィルター１の取付けおよび取外しが容易となる。
【００１８】
また、把持本体６に穿設したネジ孔８は……通常レンジフード本体にグリスフィルターを受け止めるための溝が奥と手前に有るが……グリスフィルターの手前側をネジで止めるタイプの台所換気導風口に対応させたものであり、そのネジをこのネジ孔８に挿通して不織布フィルター１を台所換気導風口に固定する。従って、この場合、端縁硬化部３のネジ孔８に対応する箇所にも孔を形成する。
【００１９】
【実施例】通常、間口は６０ｃｍ，７５ｃｍ，９０ｃｍで、微細な調整は周囲の端縁硬化部３を鋏で切って行うものである。また、奥行きも鋏で切って使うことが出来る。
【００２０】
【発明の効果】請求項１に記載の台所換気導風口用不織布フィルター１は濾過材として優れた機能を発揮する不織布で形成しているので、グリスフィルターを必要としない。従って、フィルターを一重構造とすることができ、排気性に優れる。また、メンテナンスも容易となる。
【００２１】
また、フィルター本体２の周囲を端縁硬化部３としているので、その端縁硬化部３が枠のはたらきを行い、別体物であるフィルター枠を必要としない。従って、フィルター枠に取付けたり、取外すといった面倒な作業を不要とすることができる。
【００２２】
請求項２に記載の台所換気導風口用不織布フィルター１は、請求項１に記載のものと同様に、排気性に優れると共にメンテナンスも容易で、フィルター枠への取付けや取外しといった面倒な作業も不要となる。また、中央硬化部４を形成しているので、フィルター本体２の強度を高めることができ、油を吸収して重くなっても、垂れ下がったり、撓むことなく、安定姿勢を長期間維持させることができる。
【００２３】
請求項３に記載の把持部材５は、台所換気導風口用不織布フィルター１の端縁硬化部３に装着することによって、当該不織布フィルター１の取付けおよび取外しを容易なものとすることができる。
【図面の簡単な説明】
【図１】本発明に係る台所換気導風口用不織布フィルターの第一実施形態を示す底面図である。
【図２】図１に示す実施形態の側面図である。
【図３】本発明に係る台所換気導風口用不織布フィルターの第二実施形態を示す底面図である。
【図４】本発明に係る把持部材の実施形態を示す側面図である。
【図５】図４に示す実施形態の平面図である。
【符号の説明】
１　　不織布フィルター
２　　フィルター本体
３　　端縁硬化部
４　　中央硬化部
５　　把持部材
６　　把持本体
７　　摘み片
８　　ネジ孔
Ｃ　　取付溝
Ｄ　　固定
【図１】
2004066187.tif 000003
【図２】
2004066187.tif 000004
【図３】
2004066187.tif 000005
【図４】
2004066187.tif 000006
【図５】
2004066187.tif 000007